(57)【要約】【課題】ワンタッチ着脱可能であり、取付け後は簡単に外れることがなく確実に逆充電を防止できる逆充電防止器具及び逆充電防止装置を提供する。【解決手段】左右一対のＬ字状のアーム１２の基端部が開閉機構３１により連結されたクランプ１１と、前記クランプ１１を開閉させる前記アーム１２の基端部に設けられた取っ手２１と、引込用端子箱１００が取付けられる取付金具２５０の両端部に各々係止する、前記一対のアーム１２にそれぞれ取付けられた係止具５１と、前記アーム１２のそれぞれの先端部に取付けられ、前記引込用端子箱１００の端子台１３５又は接続端子に接触する導電性の接触端子６１と、前記接触端子６１に接続する導電性のリード線７１と、を備える。【選択図】図３
2020156305.tif 000002
【特許請求の範囲】
【請求項１】
左右一対のＬ字状のアームの基端部が開閉機構により連結されたクランプと、
前記クランプを開閉させる前記アームの基端部に設けられた取っ手と、
引込用端子箱が取付けられる取付金具の両端部に各々係止する、前記一対のアームにそれぞれ取付けられた係止具と、
前記アームのそれぞれの先端部に取付けられ、前記引込用端子箱の端子台又は接続端子に接触する導電性の接触端子と、
前記接触端子に接続する導電性のリード線と、
を備えることを特徴とする逆充電防止器具。
【請求項２】
前記開閉機構は、前記一対のアームを閉じるように付勢する付勢手段を備え、
前記クランプがワンタッチで開閉可能に構成されていることを特徴とする請求項１に記載の逆充電防止器具。
【請求項３】
前記係止具は、前記取付金具の端部が嵌り込む凹部を備えることを特徴とする請求項１又は２に記載の逆充電防止器具。
【請求項４】
前記クランプは、前記一対のアームの基端部近傍に前記取付金具に吸着するマグネットを備えることを特徴とする請求項１から３のいずれか１項に記載の逆充電防止器具。
【請求項５】
請求項１から４のいずれか１項に記載の逆充電防止器具を３個備え、
前記リード線を介して各逆充電防止器具が互いに電気的に接続されていることを特徴とする逆充電防止装置。
【発明の詳細な説明】
【技術分野】
【０００１】
本発明は、停電作業等において逆充電を防止すべく電路に取付け使用する逆充電防止器具及び逆充電防止装置に関する。
【背景技術】
【０００２】
低圧停電作業を実施する場合、作業対象の電路に逆充電が起こると危険であるため、電路に低圧逆充電防止器具（以下、逆充電防止器具と記す）を取付け作業が行われる。従来から使用されている一般的な逆充電防止器具は、クリップ型の器具であり、引込用端子箱（以下、端子箱と記す）に取付けられる。逆充電防止器具は、接地短絡器具又は短絡接地器具とも呼ばれる。
【０００３】
端子箱は、低圧引下線と引込線とを繋ぐものであり、蓋付きのケース内に端子台を備え、端子台の接続端子に低圧引下線及び引込線が接続される。従来の逆充電防止器具は、この接続端子にクリップが挟むように取付けられるため構造的に外れ易い。クリップの上からビニールテープや結束バンドで固定すれば容易には外れなくなるものの手間がかかる。
【０００４】
従来のクリップ型の接地短絡器具を改良し、外れ難くした端子箱用クリップも開発されている（例えば特許文献１参照）。またクリップを使用しない接地短絡器具も提案されている（例えば特許文献２参照）。
【先行技術文献】
【特許文献】
【０００５】
【特許文献１】特開２０１０−１４０７７８号公報
【特許文献２】特開２００９−５５３７号公報
【発明の概要】
【発明が解決しようとする課題】
【０００６】
特許文献１に記載の端子箱用クリップは、クリップを構成する一対の挟持片の一方の挟持片の先端に板ばねを設け、これを端子箱の側壁と端子台との間に差し込み、他方の挟持片の先端部に係止爪を設け、これを端子箱の外側に係止させ固定させる。従来のクリップに比較すれば外れ難いが十分とは言い難い。
【０００７】
特許文献２に記載の短絡接地器具は、端子箱の蓋の代わりに、端子箱の接続端子と接続する導電性の接触部を有する枠体を取付けるものである。接触部には接地用ケーブルが接続されている。この器具は、端子箱の本体に枠体をねじ止めする方法ゆえ、クリップと異なり外れる心配はないが、取付けに手間がかかる。
【０００８】
本発明の目的は、ワンタッチ着脱可能であり、取付け後は簡単に外れることがなく確実に逆充電を防止できる逆充電防止器具及び逆充電防止装置を提供することである。
【課題を解決するための手段】
【０００９】
本発明は、左右一対のＬ字状のアームの基端部が開閉機構により連結されたクランプと、前記クランプを開閉させる前記アームの基端部に設けられた取っ手と、引込用端子箱が取付けられる取付金具の両端部に各々係止する、前記一対のアームにそれぞれ取付けられた係止具と、前記アームのそれぞれの先端部に取付けられ、前記引込用端子箱の端子台又は接続端子に接触する導電性の接触端子と、前記接触端子に接続する導電性のリード線と、を備えることを特徴とする逆充電防止器具である。
【００１０】
本発明の逆充電防止器具において、前記開閉機構は、前記一対のアームを閉じるように付勢する付勢手段を備え、前記クランプがワンタッチで開閉可能に構成されていることを特徴とする。
【００１１】
本発明の逆充電防止器具において、前記係止具は、前記取付金具の端部が嵌り込む凹部を備えることを特徴とする。
【００１２】
本発明の逆充電防止器具において、前記クランプは、前記一対のアームの基端部近傍に前記取付金具に吸着するマグネットを備えることを特徴とする。
【００１３】
本発明は、前記逆充電防止器具を３個備え、前記リード線を介して各逆充電防止器具が互いに電気的に接続されていることを特徴とする逆充電防止装置である。
【発明の効果】
【００１４】
本発明によれば、ワンタッチ着脱可能であり、取付け後は簡単に外れることがなく確実に逆充電を防止できる逆充電防止器具及び逆充電防止装置を提供することができる。
【図面の簡単な説明】
【００１５】
【図１】本発明の第１実施形態の逆充電防止装置１の構成図である。
【図２】図１の逆充電防止装置１を構成する逆充電防止器具５のクランプ１１を開いた状態の外観図である。
【図３】図１の逆充電防止装置１の使用例を示す斜視図である。
【図４】図１の逆充電防止装置１の使用例を示す正面図である。
【図５】本発明の第２実施形態の逆充電防止装置２の使用例を示す正面図である。
【図６】一般的な引込用端子箱１００の設置要領を示す図である。
【図７】一般的な引込用端子箱１００の腕金２１０への取付け要領を示す図である。
【発明を実施するための形態】
【００１６】
図１は、本発明の第１実施形態の逆充電防止装置１の構成図である。図２は、逆充電防止装置１を構成する逆充電防止器具５のクランプ１１を開いた状態の外観図である。図３及び図４は、逆充電防止装置１の使用例を示す斜視図及び正面図である。図３と図４とでは、引込用端子箱１００の取付金具２５０に対する位置が左右逆になっている。
【００１７】
本発明の第１実施形態の逆充電防止装置１は、低圧停電作業を実施する際に、作業対象の電路に逆充電が起こることを防止するための器具であり、引込用端子箱１００（以下、端子箱と記す）に取付け使用される。本実施形態の逆充電防止装置１の説明に先立ち、端子箱１００の構造を説明する。
【００１８】
図６は、従来から一般的に使用されている端子箱１００の設置要領を示す図であり、（Ａ）が斜視図、（Ｂ）が平面図である。図６（Ｂ）において×印が付いている部分に端子箱１００が取付けられている。図７は、端子箱１００の腕金２１０への取付け要領を示す図である。
【００１９】
端子箱１００（１００ａ、１００ｂ、１００ｃ、１００ｄ、１００ｅ、１００ｆ、１００ｇ）は、低圧引下線１５１と引込線１５２とを繋ぐ器具であり、電柱２００に取付けられた腕金２１０に取付けられている。具体的には、端子箱１００は、腕金２１０の長手方向に直交するように取付けられた取付金具２５０（２５０ａ、２５０ｂ、２５０ｃ、２５０ｄ、２５０ｅ、２５０ｆ）に固定される。
【００２０】
取付金具２５０は、短手方向を正面に見て両側が略直角に折り曲げ部２５２を有する板状体であり、Ｕボルト２７０が挿通するボルト挿通孔、端子箱１００を固定するための固定ねじ２８０が挿通するねじ挿通孔２６０が設けられている。取付金具２５０は、腕金２１０の上面２１２に載置され、ボルト挿通孔にＵボルト２７０を挿通し腕金２１０に固定される。
【００２１】
取付金具２５０は、電柱２００を挟み腕金２１０の両側又は片側にそれぞれ２個又は３個取付けられ、１つの取付金具２５０には、腕金２１０を挟んで両側に端子箱１００を取付け可能なため、腕金２１０の片側には、最大６個の端子箱１００を取付けることができる。図６では、腕金２１０の左側に端子箱１００が４個、腕金２１０の左側に端子箱１００が３個取付けられている。
【００２２】
端子箱１００は、正面１０３が開口した略矩形の箱形の本体１０１と、本体１０１の正面１０３を覆うように取付けられた略矩形の箱型の蓋体１１１とを備える。本体１０１と蓋体１１１とは互いの下部がヒンジ１２１で回動自在に連結され、蓋体１１１は、本体１０１に対して開閉自在である。本体１０１の上部には、蓋体１１１を閉じる固定ねじ１２５が螺合する雌ねじが設けられ、蓋体１１１には、固定ねじ１２５が挿通する挿通孔１１５が設けられている（図３参照）。
【００２３】
本体１０１内には、接続端子１３１を備える端子台１３５が収容され、本体１０１の両側面１０５には、接続端子１３１に接続する低圧引下線１５１及び引込線１５２を挿入するための挿入口１０７が設けられている。挿入口１０７の部分は、薄くなっており、低圧引下線１５１及び引込線１５２を挿入する際に開口される。
【００２４】
端子台１３５には、引込線１５２を接続するための接続端子１３１が４個、低圧引下線１５１を接続するための接続端子１３１が１個設けられており、これらは互いに電気的に導通する。
【００２５】
端子箱１００は、本体天井面に固定ねじ２８０が螺合する雌ねじ部を備え、取付金具２５０に固定ねじ２８０で固定される。端子箱１００は、取付金具２５０に吊下げられた状態で低圧引下線１５１及び引込線１５２が接続されている。通常、蓋体１１１は、本体１０１に固定ねじ１２５で固定されているが、固定ねじ１２５を取外せばヒンジ１２１を介してぶら下がった状態となる（図３、図４参照）。
【００２６】
取付金具２５０に取付けられた端子箱１００は、腕金２１０の短手方向を正面に見て、蓋体１１１の上面１１３が取付金具２５０の長手方向の端部２５５とほぼ同じ位置になる。蓋体１１１を開いた状態では、接続端子１３１の頭部１３２は、腕金２１０の短手方向を正面に見て、取付金具２５０の長手方向の端部２５５よりも少し内側に位置する（図４参照）。
【００２７】
端子箱１００は、単相３線式の配電線又は３相式の配電線であれば３個、単相４線式の配電線であれば４個必要となる。通常、単相３線式の配電線又は３相式の配電線では２つの取付金具２５０に、単相４線式の配電線であれば３つの取付金具２５０に取付けられる。このため一部の取付金具２５０には、腕金２１０を挟み一方にのみ端子箱１００が取付られ、一部の取付金具２５０には、腕金２１０を挟み両側に端子箱１００が取付られる（図６（Ｂ）参照）。
【００２８】
次に本実施形態の逆充電防止装置１の構造について説明する。逆充電防止装置１は、リード線７１を介して互いに電気的に導通する形で結ばれた３個の逆充電防止器具５（５ａ、５ｂ、５ｃ）からなる。３個の逆充電防止器具５ａ、５ｂ、５ｃは、同一である。
【００２９】
逆充電防止器具５は、クランプ１１と、クランプ１１を支持する支持台４１と、取付金具２５０に係止する係止具５１と、端子箱１００の接続端子１３１に接触する導電性の接触端子６１と、接触端子６１に接続する導電性のリード線７１とを備える。
【００３０】
クランプ１１は、逆充電防止器具５の骨格をなす部材であり、左右一対のＬ字状のアーム１２と、左右のアーム１２を開閉させる取っ手２１と、左右のアーム１２を開閉可能に連結する開閉機構３１とを備える。
【００３１】
アーム１２は、Ｌ字形状を有する扁平状の箱であり、内部はリード線７１を収容可能な空洞となっている。アーム１２の厚さは、内部にリード線７１を収容できる厚さがあればよく不必要に厚くする必要はない。アーム１２は、水平部１３と垂下部１４とを有し、水平部１３の基端部１５にアーム１２を開閉可能に連結する開閉機構３１が設けられている。左右のアーム１２は、同一の構造であり、左右対称に配置されている。
【００３２】
取っ手２１は、手で握る把持部と把持部の両側に把持部に直交するように位置する支持部とを備える断面がコ字状の左右一対の把持片２２で構成される。把持片２２は、左右の把持片２２の間隔が、基端部２４に比べ先端部２３側が広くなるようにアーム水平部１３に傾斜して取付けられている。
【００３３】
開閉機構３１は、左右の把持片２２を回動自在につなぐ連結軸３２と、左右の把持片２２を閉じるように付勢するねじりコイルばね３４とで構成される。左右の把持片２２は、支持部の間隔が僅かに異なっており、一方の把持片２２の支持部の間に他方の把持片２２の支持部を嵌め入れ、この部分に連結軸３２が取付けられる。これにより取っ手２１を閉じると左右のアーム１２が開き、取っ手２１から手を離すと左右のアーム１２が閉じる。
【００３４】
支持台４１は、逆充電防止器具５を端子箱１００に装着する際に、取付金具２５０の上面２５１に接し、クランプ１１を支持する。支持台４１は、内部が空洞のブロック状の台本体４３を有し、台本体４３が支持片４４を介して開閉機構３１の連結軸３２に固定されている。支持台４１は、逆充電防止器具５を端子箱１００に装着する際に、クランプ１１が取付金具２５０を止めるＵボルト２７０に接触しないように設けられている。
【００３５】
上記構成からなるクランプ１１の大きさは、左右のアーム１２の水平部１３を一直線状としたとき、左右の垂下部１４の内側の間隔Ｌが、取付金具２５０の長さＬ０よりも僅かに長い。このため逆充電防止器具５は、取付金具２５０をクランプ１１で覆うように取り付けることができる。
【００３６】
アーム１２の幅は、水平部１３、垂下部１４とも取付金具２５０の幅と略同一である。但し、アーム１２の幅は、これに限定されるものではなく、水平部１３と垂下部１４との幅が異なっていてもよい。
【００３７】
アーム１２の垂下部１４の長さは、逆充電防止器具５を取付金具２５０に取付けたとき、先端部１６の位置が端子箱１００の本体１０１の下端１０２と略同一となる長さである。
【００３８】
係止具５１は、取付金具２５０の端部２５５に係止する部材であり、左右のアーム１２の垂下部１４にそれぞれ取付けられている。係止具５１は、断面が矩形で正面が全面開口した箱状の部材である。係止具５１は、左右のアーム１２に互いに内側を向くように設けられた、取付金具２５０の端部２５５が嵌り込む凹部ということができる。
【００３９】
係止具５１の断面内側の大きさは、取付金具２５０の端部２５５がほぼ隙間なく嵌り込む大きさである。係止具５１の長さは、取付金具２５０の端部２５５の一部が嵌り込む長さがあればよい。係止具５１を極端に長くすると端子箱１００に接触する。要すれば係止具５１は、逆充電防止器具５を取付金具２５０に取付けた後に、作業者の手が逆充電防止器具５に接触しても取付金具２５０から外れない大きさであればよい。係止具５１の材質は、ゴム又は合成樹脂であるのがよい。
【００４０】
接触端子６１は、端子箱１００の接続端子１３１に接触する導電性の部材であり、左右のアーム１２の垂下部１４の先端部１６近傍に固定されている。接触端子６１は、短冊状の金属板であり、基端部６２と先端部６３とが段違い平行に形成され、全体として弾力性を備える。基端部６２は、アーム１２の垂下部１４の内側で固定され、またリード線７１と接続する（図４参照）。
【００４１】
左右の接触端子６１は、逆充電防止器具５を取付金具２５０に取付けたとき、先端部６３が端子箱１００の接続端子１３１に接触するようにアーム１２の垂下部１４から内側に突出するように取付けられている。接触端子６１は、弾力性を備えるので逆充電防止器具５を取付金具２５０に取付けたとき、先端部６３を接続端子１３１に確実に接触させることができる。本実施形態では、接触端子６１は、低圧引下線１５１を接続する接続端子１３１の頭部１３２に接触するが、接触端子６１の接触先は、他の接触端子１３１であってもよく、また端子台１３５であってもよい。
【００４２】
リード線７１は、一部がアーム１２内に位置し、一端がアーム１２内で接触端子６１と連結する。リード線７１の他端は、アーム１２の水平部１３の基端部１５近傍から外に出て、他の逆充電防止器具５のリード線７１とつながる。
【００４３】
次に逆充電防止装置１の使用方法を説明する。停電作業を実施する区間の電線路の端子箱１００の蓋体１１１を開ける。単相３線式の配電線又は３相式の配電線であれば端子箱１００が３個、単相４線式の配電線であれば端子箱１００が４個、通常、図６に示すように腕金２１０に配置されている。それぞれの端子箱１００の接続端子１３１に逆充電防止器具５の接触端子６１が接触するように逆充電防止器具５を取付ける。
【００４４】
クランプ１１の取っ手２１を閉じればクランプ１１が開くので取付金具２５０に簡単に取付けることができる。取っ手２１を離しクランプ１１が閉じれば、係止具５１が取付金具２５０の両側の端部２５５に嵌り込み、しっかりと固定される。また接触端子６１は、板ばねのように弾力性を有するので、確実に接続端子１３１に接触する（図３、図４参照）。
【００４５】
図６に示す単相３線式の配電線又は３相式の配電線の場合、各逆充電防止器具５ａ、５ｂ、５ｃは、取付金具２５０ｄ、２５０ｅ、２５０ｆに取付けられる。この場合、逆充電防止器具５ｃは、２つの端子箱１００ｆ、１００ｇの接続端子１３１に接し、逆充電防止器具５ｂは、一方の接触端子６１が１つの端子箱１００ｅの接続端子１３１に接し、他方の接触端子６１は、遊んでいる。さらに逆充電防止器具５ａは、両側の接触端子６１とも遊んでいる。
【００４６】
このように逆充電防止装置１では部分的に遊ぶ接触端子６１が発生するが、逆充電防止器具５の接触端子６１は、各配電線につながる全ての端子箱１００の接続端子１３１に接触し、各接触端子６１はリード線７１を介して全てが互いにつながっているため逆充電を確実に防止することができる。
【００４７】
単相３線式の配電線又は３相式の配電線の場合、逆充電防止器具５が２個あればよいが、本実施形態の逆充電防止装置１のように３個の逆充電防止器具５を連結すれば、単相３線式の配電線又は３相式の配電線のみならず、単相４線式の配電線にも対応できるため使い勝手がよい。
【００４８】
以上のように第１実施形態の逆充電防止装置１は、ワンタッチで端子箱１００に逆充電防止器具５を取付け、またワンタッチで取り外すことが可能であり使い勝手に優れる。また第１実施形態の逆充電防止装置１は、端子箱１００を取付ける取付金具２５０を利用して逆充電防止器具５を取付け、さらに係止具５１に取付金具２５０の端部２５５が嵌り込むため、手が接触しても簡単に外れることがなく安心して使用することができる。
【００４９】
図５は、本発明の第２実施形態の逆充電防止装置２を構成する逆充電防止器具６の正面図である。図１から図４に示す第１実施形態の逆充電防止装置１と同一の構成には同一の符号を付して説明を省略する。
【００５０】
第２実施形態の逆充電防止装置２の基本構成は、第１実施形態の逆充電防止装置１と同じであり、３個の逆充電防止器具６がリード線７１を介して連結されてなる。また逆充電防止器具６の基本構成も第１実施形態の逆充電防止器具５と同じである。以下、逆充電防止器具６について、逆充電防止器具５との相違点を中心に説明する。
【００５１】
第１に逆充電防止器具６は、クランプ１１の開閉機構が逆充電防止器具５と異なる。左右のアーム１２の水平基端部１５に連結軸３６が挿通する円筒状の挿通部１７が設けられ、左右のアーム１２の互いの挿通部１７の間にねじりコイルばね（図示省略）が配置され、これらが連結軸３６で回動可能に連結され開閉機構３５が形成されている。この開閉機構３５は、ばね付き蝶番の開閉機構と同じである。
【００５２】
第２に逆充電防止器具６は、クランプ１１に取付けられた支持台４１が磁石となっている。これにより逆充電防止器具６を取付金具２５０に取付けると、支持台４１が取付金具２５０に吸着し、逆充電防止器具６がずれ難くなる。またこれを利用して逆充電防止器具６を腕金２１０、取付金具２５０に一時的に固定することができる。
【００５３】
第３に逆充電防止器具６は、係止具５２が磁石となっている。これにより逆充電防止器具６を取付金具２５０に取付けたとき、逆充電防止器具６が外れることをより確実に防止することができる。係止具５２は、ブロック状であり、取付金具２５０の端部２５５が吸着する。
【００５４】
第４に逆充電防止器具６は、接触端子６５の形状が異なる。接触端子６５は、導電性の円筒部材であり、接続端子頭部１３２がほぼ隙間なく嵌り込む大きさである。また接触端子６５は、磁石となっており、逆充電防止器具６を取付けたとき、接触端子６５は、接続端子頭部１３２に嵌り込み、かつ接続端子頭部１３２又はその周辺部と吸着する。これにより接触端子６５を接続端子１３１又は端子台１３５に確実に接触させることができる。接触端子６５の基端部がリード線７１と連結する点は、第１実施形態の接触端子６１と同じである。
【００５５】
第２実施形態の逆充電防止装置２の使用方法、作用効果は、基本的に第１実施形態の逆充電防止装置１と同じである。
【００５６】
以上、第１及び第２実施形態の逆充電防止装置１、２及び逆充電防止器具５、６を用いて本発明に係る逆充電防止装置及び逆充電防止器具を説明したが、本発明に係る逆充電防止装置及び逆充電防止器具は、上記実施形態に限定されるものではなく要旨を変更しない範囲で変更して使用することができる。
【００５７】
例えば、第１実施形態の逆充電防止装置１及び逆充電防止器具５において、接触端子６１を磁石としてもよい。また上記実施形態では、接触端子が板ばね状の接触端子６１、円筒形状の接触端子６５であるが、接触端子は、接続端子１３１又は端子台１３５に確実に接触する形態であればよく、上記実施形態以外の接触端子であってもよい。たとえばコイルスプリングであってもよい。また接触端子は、左右のアーム１２で形態が異なっていてもよい。
【００５８】
上記実施形態の逆充電防止装置１、２は、逆充電防止器具５、６がリード線７１で連結され分離することができないが、リード線７１の途中に連結具を設け、１個の逆充電防止器具を単独で使用できるようにしても、２個又は３個の逆充電防止器具を連結して使用できるようにしてもよい。
【００５９】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６０】
１、２  逆充電防止装置
５、５ａ、５ｂ、５ｃ、６  逆充電防止器具
１１  クランプ
１２  アーム
２１  取っ手
３１、３５  開閉機構
３４  ねじりコイルばね
４１  支持台
４３  台本体
５１、５２  係止具
６１、６５  接触端子
７１  リード線
１００、１００ａ〜１００ｇ  引込用端子箱，端子箱
１３１  接続端子
１３５  端子台
２００  電柱
２１０  腕金
２５０、２５０ａ〜２５０ｆ  取付金具
２５５  端部
【図１】
2020156305.tif 000003
【図２】
2020156305.tif 000004
【図３】
2020156305.tif 000005
【図４】
2020156305.tif 000006
【図５】
2020156305.tif 000007
【図６】
2020156305.tif 000008
【図７】
2020156305.tif 000009